(57)【要約】【課題】大きな夜冷装置や冷却装置を設備しなくても、給水の蒸散によって発生した蒸発熱で冷却し、イチゴ等個別の植物に花芽分化促進効果を起こさせることを可能とする。【解決手段】上下の培地がむき出しになったアースストレートポット１は、頭上からの潅水に頼ることなく底面から容易に給水でき、前記ポットと育苗マットを組み合わせることで底面給水による蒸散を盛んにするので気化熱によりハウス内の個別の植物を均一に冷却可能で、炭素病を回避すると共に、大きな設備を導入することなく、前記アースストレートポット１で底面給水により育苗したアースストレートポット苗を培地を包んだ不織布バッグ２に定植して栽培する花芽分化促進栽培法である。点滴チューブ３が配置された不織布バッグ２に組み合わせてア−スストレートポット苗を少し上に上げて傾けて定植し相乗効果により花芽分化を促進して早期出荷を実現する。【選択図】図５
2009183238.tif 000002
【特許請求の範囲】
【請求項１】
イチゴ、シクラメン、デルフィニウム等の低温で花芽が促進される植物の栽培用苗を育てる育苗期段階ではピートモス、籾殻くん炭、パーライトを主要な材料としてなる培地を不織布で包み、上下を開放した培地がむき出しになった底面給水用アースストレートポットと小型底面給水用トレイを用いて、育苗マットを組み合わせて底面給水をすることより気化熱で植物の根部を冷却して低温で花芽分化促進させて育苗したアースストレートポット苗を定植することを特徴とする花芽分化促進栽培法。
【請求項２】
請求項１に記載の育苗期段階で育苗したアースストレートポット苗を、ピートモス、籾殻くん炭、パーライトを主要な材料としてなる培地の周囲を不織布で包む不織布バッグの上に点滴チューブを配置し定植して、定植した不織布バッグに点滴チューブを用いて給水することにより、気化熱で植物の根部を冷却して低温で第１腋果房の花芽分化を促進させることを特徴とする花芽分化促進栽培法。
【請求項３】
請求項１に記載の育苗期には、厚みが０．０１ｍｍ以下の不織布で培地の周囲を包む底面給水用アースストレートポットを用いて育苗したアースストレートポット苗を、栽培期には、不織布バッグは培地を適宜な厚みの不織布で包む不織布バッグに定植して栽培することを特徴とする花芽分化促進栽培法。
【発明の詳細な説明】
【技術分野】
【０００１】
本発明は、０．０１ｍｍ以下の不織布で培地の周囲を包み、上下は培地がむき出しになっているポット（以下「アースストレートポット」という。）で苗を直接受け又は挿し苗育苗し、アースストレートポットで育苗する苗をそのまま不織布バッグに定植するため、ポットの下に敷いた給水マットからの給水が容易な底面給水用アースストレートポットを用いて底面給水することにより、又アースストレートポットと点滴チューブを配置する不織布バッグとを組み合わせることにより、気化熱でハウス内の個別の植物の根部が冷却されることにより花芽分化を起こす花芽分化促進栽培法に関するものである。例えばイチゴ、シクラメン、デルフィニウムのような低温で花芽分化が促進される野菜や花の花芽分化促進効果があり、夜冷処理や暗黒処理をすることなく早期の出荷が可能になる栽培法である。
【背景技術】
【０００２】
従来の花芽分化促進のための機械的な処理は、イチゴの場合には紙ポットに植えて育苗期に、夜冷装置を用いている。デルフィニウムの育苗期にはクーラー育苗が行なわれている。いずれの苗も定植後には、冷却方法としてトンネル状態にしたハウス内へ冷気を通す方法が行なわれており、その方法で花芽分化促進効果がある。従来の処理方法で花芽分化促進効果を得るためには、冷却装置を設置して、冷気或いは冷水を作って、冷気或いは冷水をハウス内へ送る装置が必要になる。
これらの装置は大型になり、設置するには大きな設備投資が必要になる。冷却水を流す場合には小型の装置があったが、小型であるために効果が不安定である。このために広い面積を安定的に冷却することが難しいという問題がある。
従来の育苗ポットの問題は、イチゴの育苗の例を説明すれば、イチゴの育苗に使用するプラスチックポットやビニールポットは、連年使用するため病気等の除去を確実に行う必要があるが、ポットに土等が残り完全に殺菌されず、病気の罹病を引き起こすことである。従来のポットは、農家が土入れを行うため、土入れに時間を要すると共に、病気が土と共に混入する可能性がある。更にこれら従来の育苗に使用されてきたポットは、通気性が悪く、育苗期間中高温になるため、根痛みを起こし、花芽分化の促進効果も乏しい等の問題がある。
従来の育苗で実用されているポットは、従来のポットを用いて頭上潅水を行うため、炭素病を誘発し、株の枯死が問題となっている。従って、育苗中に潅水の問題が、充分解決されているとはいえない状況にある。μチューブ等による固体別潅水が行われている場合もあるが、高価な設備であり容易に導入できない。
底面給水の方法は、前記ポットそれぞれの規格設備を用い、桶等の水受けに直接ポットの底面を浸け給水する方法等（例えば、特許文献１〜２）も提案されているが、簡易な方法はない。
【０００３】
ポットでの底面給水法の問題は、特許文献３〜４の例のようにポットの大きさや形によりそれぞれの規格設備を用い、水受けに直接ポットの底面を浸け給水する等の方法が提案されているが、底面給水用ポットと小型底面給水用トレイを組み合わせて育苗用と育苗苗の移動用にも使用できるようにした簡易な育苗システムは無いといって過言ではない。なぜなら、直接ポットを水に浸けると夏場の高温で水が湯になったり、根を痛めるからである。
給水方法としては大型ベンチに給水マットを敷き底面給水により給水する育苗法が提案されているが、給排水は大型の施設となり（例えば、特許文献５）、導入が難しい。
【０００４】
イチゴの鉢受け苗や挿し苗にポット若しくはトレイを用いて底面給水する用途において、この欠点は施設の導入に関して大きな障害である。具体的には、桶等の水受けが夏場の高温で根腐りの原因となったり、施設の大型化、あるいは、連年使用によって炭素病が発生するなどの問題があった。
【０００５】
この改善策として、雨よけハウスによるイチゴ苗の底面給水法が検討されている。特許文献６〜７、１４に示されるように、イチゴの花芽分化は、低温と短日条件下で起こる。
【特許文献１】特開２００５−１９８６３６号公報
【特許文献２】特開２００３−２０４７２２号公報
【特許文献３】特開平８−２０５６９９号公報
【特許文献４】特開平１０−８４７８５号公報
【特許文献５】特開平１０−２６２４７７号公報
【特許文献６】特開２００７−２８９１２５号公報
【特許文献７】特開２００６−２９６２０２号公報
【特許文献８】特開２００４−２０８５５０号公報
【特許文献９】特開２００４−１２１０４５号公報
【特許文献１０】特開２００３−９２９３１号公報
【特許文献１１】特開２００１−９５３８０号公報
【特許文献１２】特開２００１−４５８６６号公報
【特許文献１３】特開平１１−２３９４１７号公報
【特許文献１４】特開平１０−１７８９４４号公報
【特許文献１５】特開平８−２６６１５７号公報
【特許文献１６】特開平５−１８４２４５号公報
【発明の開示】
【発明が解決しようとする課題】
【０００６】
イチゴは育苗中、炭素病に罹病することが大きな問題であり、その回避方法の開発は急務である。炭素病は雨による土面からの跳ね返りで広がるが、雨と強風で植物体が傷め付けられた時は、更にその被害は拡大する。又育苗中の頭上潅水でも罹病株から被害が拡大する。そのため、イチゴの育苗中は、風雨に育苗苗を当てず、頭上潅水によらない潅水法で育苗することが望ましい。そこで、育苗中は雨よけハウス（台風等にも耐える強度のもの）で育苗し、底面給水を行う。又、育苗方法は、鉢受け育苗とするが、親株は病気に罹病していない無病苗を親株に用いることを前提とし、さらに２段階育描法で採取した若苗を親株に用いる。このようにして育苗した親株から発生したランナーを底面給水用ポットで鉢受けし、育苗する。これを要約すると炭素病にかからない育苗法は、台風に耐える小面積のハウス内で、簡易で安価な底面育苗施設で育苗することである。
これを可能にする底面育苗法がアースストレートポットと給水マットを併せた底面給水育苗法である。
本発明の花芽分化促進栽培法の実施のために必要なものは、前記アースストレートポットと、給水マット(根切りシート+不織布+トレイ)及び不織布バッグの三点である。アースストレートポットで底面給水育苗法により育苗した苗(以下、アースストレートポット苗という。)を不織布バッグに定植して栽培する。
本発明は、気化熱によりポット培地の温度を下げること、アースストレートポットへの給水とマット自体が気化熱により温度を下げること、不織布バッグ自体が気化熱で冷えることとにより、不織布バッグにアースストレートポット苗を定植することでアースストレートポット苗に給水マットと同じ働きをする不織布バッグで花芽分化促進させることを目的とする。
【課題を解決するための手段】
【０００７】
本発明の花芽分化促進栽培法は、ピートモス、籾殻くん炭、パーライトを主要な材料としてなる培地を不織布で包み、上下を開放した培地がむき出しになったアースストレートポットを、底面給水用トレイの育苗マット上に置いて底面給水をすることにより育苗し、前記培地を不織布で包む不織布バッグに組み合わせて育苗苗を不織布バッグに定植することにより、気化熱を利用することでハウス内の個別の植物を均一に冷却できるようにすることを最も主要な特徴とする。
【発明の効果】
【０００８】
底面給水による花芽分化促進効果について説明すると底面給水育苗苗は、頭上潅水をせずに底面から給水するため、炭素病を回避できる。その簡便な育苗方法として、底面給水シート(不織布+根きりマット)と外周を不織布で覆い底面すべてから給水可能にしたアースストレートポットの利用法を提案する。しかし、底面給水マットとアースストレートポットを利用した底面給水法が花芽分化促進効果を劇的に生むことが判明した。
本発明の花芽分化促進栽培法は、育苗期に０．０１ｍｍ以下の不織布で前記培地を包むアースストレートポットを使用するため、培地は不織布で包まれていることから、通気性に優れ、底面に敷かれた給水マットから容易に給水できる。アースストレートポットと培地を入れた不織布バッグとを組み合わせて、アースストレートポットで底面給水法により育苗した苗を不織布バッグに定植することによって、通気性に優れた不織布は根痛みを起こしにくく、気化熱で培地温低下が図られるため、冷却のために高価な装置や設備を設置する育苗栽培装置を使用しないでも、気化熱を利用してハウス内の個別の植物を均一に冷却できる利点がある。
【発明を実施するための最良の形態】
【０００９】
上下の培地がむき出しになったアースストレートポットは、頭上からの潅水に頼ることなく底面から容易に給水でき、前記ポットと育苗マットを組み合わせることで底面給水による蒸散を盛んにするので気化熱によりハウス内の個別の植物を均一に冷却可能で、炭素病を回避すると共に、大きな設備を導入することなく、育苗期には不織布で培地の周囲を包んで上下開放のアースストレートポットを用いて育苗した苗をそのままで点滴チューブを配置している不織布バッグに定植し、定植後の栽培期にはアースストレートパックを不織布バッグに組み合わせて摘果期まで栽培することで花芽分化促進を実現した。
【００１０】
前記のようにアースストレートポットは、底面給水による蒸散が盛んに行なわれる。このため、アースストレートポットを培地を包む不織布バッグに組み合わせてもよく、ア−スストレートポットを点滴チューブが配置されている不織布バッグに組み合わせることで更に育苗期から定植栽培期に至るまで効果的に花芽分化促進を実現することができた。
【実施例１】
【００１１】
図１〜６は、イチゴについて本発明の花芽分化促進栽培法を適用した１実施例の実施方法を示す説明図(写真及び図面)である。図１は、アースストレートポット苗を定植した不織布バッグ、図２は、アースストレートポット苗を定植した初期の不織布バッグ、図３は、点滴チューブを配置した不織布バッグ、図４は、緩効性肥料を置いた不織布バッグ、図５は、実施例のアースストレートポット苗を不織布バッグに定植する方法を示す側断面図、図６は同平面図である。符号１は、アースストレートポット、２は、不織布バッグ、３は、点滴チューブ、４は、定植株、５は、緩効性肥料、６は、不織布シート、７は、寒冷紗である。
【００１２】
本発明の花芽分化促進栽培法をイチゴ栽培に適用した実施例について説明する。
栽培用苗を育てる育苗期段階ではピートモス、籾殻くん炭、パーライトを主要な材料としてなる培地を不織布で包み、上下を開放した培地がむき出しになった底面給水用アースストレートポット１と小型底面給水用トレイを用いて、育苗マットを組み合わせて底面給水をすることより花芽分化促進させて育苗する。栽培期段階で育苗したアースストレートポット苗を定植して摘果期まで栽培する。
【００１３】
そのアースストレートポット苗を栽培期段階では前記培地の周囲を不織布で包む不織布バッグ２にそのままで定植し、点滴チューブ３を配置している不織布バッグ２に給水をすることにより、気化熱で植物の根部を冷却して低温で第１腋果房の花芽分化を促進させることを特徴とする。
【００１４】
イチゴ苗の育苗期には、０．０１ｍｍ以下の不織布で培地の周囲を包む底面給水用アースストレートポット１を用いて育苗し、栽培期には、培地を不織布で包む不織布バッグ２に育苗苗を定植して栽培する。アースストレートポット１の不織布は０．０１ｍｍ以下のものが通気性もよく、給水の蒸散が盛んで気化熱で栽培苗の根部を冷却する効果が顕著に現れる。
【００１５】
イチゴの花芽分化促進処理について説明すれば、イチゴの花芽分化は、低温と短日条件下で起こる。自然条件下で愛媛県では８月下旬からの気候条件をイチゴが感知し始め、９月２０日頃分化が始まる。イチゴは成長点の肥大を確認後直ちに定植する。品種によりその分化始期は異なるが、９月１７〜２６日頃ほとんどの品種が花芽分化する。
イチゴの花芽分化時期が早いと当然収穫時期が早まることから、人工的に花芽分化を促進させることで、価格が高い早い時期に収穫を始める技術が開発された。
従来の花芽分化を早める技術は、低温と短日条件を同時に与える夜冷育苗と低温だけを低温庫内で与える低温暗黒処理の二つの育苗法がある。
夜冷育苗は二つの条件を同時に与えるため、苗の分化率はかなり高く８０％以上となるが、処理のための機器に多額の投資が必要となる。それに比べ低温暗黒処理は低温庫内で処理できるため、投資額は少ないが品種間で分化率が異なり、不安定な欠点を持つ。
イチゴの１品種である「さちのか」の夜冷処理は、８月２５日頃から開始し、３週間程度処理した後、９月１７日頃定植するが、その花芽分化率は８０％程度が最高値となる。又低温暗黒処理は９月に入ってから開始するものの、処理後の栄養状態やその年の気候に大きく左右され、処理しない方が花芽分化が早まることも多く、その効果は不安定なのが実情である。
【００１６】
夜冷処理について説明すれば、夜冷処理を行なうためには低温装置と日長処理を同時に行なえる装置が必要で一般農家が取り入れることは難しいことから、促進効果がそれほど高くなく、品種によっては不安定ではあるものの、安価に行なえる低温暗黒処理が花芽分化促進技術の主流となっている。
【００１７】
しかし、アースストレートポット自体に気化熱による花芽促進効果があるものの、アースストレートポットと底面給水マットの併用処理は、高価な夜冷処理機器や不安定な低温暗黒処理を行なうことなく、安定して夜冷処理並みの花芽分化促進効果を得ることができる。
アースストレートポットと給水マットの併用されると相乗作用で、気化熱による頂果房(第１果房)の花芽促進効果がある。
【００１８】
ポットの花芽分化促進効果は、紙ポットで報告されている。しかし、その効果は実施された県で異なり、効果があった報告とあまり見られなかったという報告に別れている。紙ポットで見られる花芽分化促進効果は、プラスチック等で作られた小型ポットでは見られない。紙ポットで起こる花芽分化の促進は、根部が気化熱で冷やされることに起因すると考えられる。  
【００１９】
本発明の実施例で用いたアースストレートポット１は、外周が不織布で覆われていること、底部が底面給水マットとむき出しに接していることから、紙ポットと同様に気化熱で根部が冷やされ、花芽が促進されると考えられる。
紙ポットとアースストレートポットを頭上潅水し育苗した時、花芽分化促進程度は合成樹脂製アイポットより２日程度で、アイポットを底面給水した時、花芽分化促進効果は見られなかった。
しかし、底面給水マットとアースストレートポットを併用した時、さちのか(定植適期：９月１７日)、紅ほっぺ(定植適期：９月１４〜１５日)は夜冷育苗並みに花芽分化が促進した。これほどの花芽分化促進効果は機械処理では見られるものの、ポットとマットを用いた簡易処理での報告例はない。
本発明の実施例により得られた大幅な花芽分化促進効果は、アースストレートポットと底面給水マットの併用で気化熱を最大限に利用できた結果、根部の温度が大幅に低下したことによると考えられる。実際に、夜間、花芽分化促進効果がある２５℃以下の温度をアイポット(合成樹脂製ポット)では得られないが、アースストレートポットと底面給水マットの併用では、送風しない場合には２３℃程度まで低下し、送風した場合には２０℃程度まで低下している。
次に示す表１は、給水方法とポットとの組み合わせにより起きる花芽分化促進効果について表したものである。表１中のアイポットは、合成樹脂製ポットである。
【表１】
2009183238.tif 000003
【００２０】
育苗中の潅水は、マイクロチューブ等による固体別潅水は高価な施設であるから、容易に導入できないが、本発明のアースストレートポットは上下の培地がむき出しになっているものであって、頭上からの潅水に頼ることなく底面から容易に吸水でき、育苗マットと組み合わせることで底面給水が容易であるから炭素病の回避が可能である。
【００２１】
プラスチックポットやビニールポットでの底面給水法は、それぞれの規格設備を用い、底面給水するため、汎用性がない。大型のベンチでの底面給水による育苗は大型の施設となり、導入が難しい。
本発明の底面給水用アースストレートポットと小型底面給水用トレイに給水用マットと根きりマットを併用した給水トレイで鉢受け及び挿し苗育苗し、底面からの給水のみで育苗できる本発明の実施例では、アースストレートポットと小型底面給水用トレイを使用することで特に大きな施設を要することなくあらゆる場所での育苗が容易になり、花芽分化を促進できる。
【００２２】
従来のように土入れ前のポットの洗浄や、土入れ等の作業の必要がなく、殺菌された培地を使用するアースストレートポットを用いて底面給水を行う場合に、小型底面給水用トレイを用いて底面給水を行う。その小型底面給水用トレイは、親株からランナーを鉢受けする場合のランナー切り離し後にまた挿し苗育苗でも、小型底面給水用トレイであるからイチゴ３０固体程度の育苗が可能なものであればそのまま移動できる。
【００２３】
本発明の実施方法で使用された０．０１ｍｍ以下の不織布で培地の周囲を包囲したアースストレートポットは、育苗中、アースストレートポットに風を当てることによって気化熱を奪うことで容易に花芽分化促進育苗することができる簡易な育苗システムを提供できる。
【００２４】
不織布バッグ２を利用した頂果房(第１果房)と第１腋果房(第２果房)の花芽促進効果について説明する。
花芽分化していないアースストレートポット苗を不織布バッグ２に緩効性肥料５を施して定植することでも、頂果房(第１果房)の花芽が促進される。これは時期的に花芽分化した苗を植える必要がないことを意味し、定植期間を広げる効果を生み出す。
アースストレートポットで花芽分化したアースストレートポット苗を不織布バッグ２に定植することで第１腋果房(第２果房)の花芽分化が促進され、続けて花が出蕾する。
イチゴの促成栽培では夜冷処理や低温暗黒処理により頂果房の花芽分化を自然条件下での花芽分化より早めることができるため、花芽分化した苗を９月上・中旬に定植することで収穫時期を早めることができる。しかし、第１腋果房の花芽分化は定植後のハウス内の条件に左右されるため、通常、無処理で定植する無冷促成栽培の第１腋果房出蕾時期とほとんど変わらなくなる。第１腋果房の花芽分化時期を早めるためには、定植後、株を冷蔵する方法が考案されているが、設備費が高いことが導入を妨げている要因になっている。
【００２５】
不織布バッグ２は、気化熱で定植後の株を相当冷すことが可能と考えられるものである。それは、アースストレートポットと底面給水用マットとの併用で夜冷育苗並みに花芽分化促進ができたことに起因する。育苗苗を定植する不織布バッグは底面給水マットと同じ働きがあり、定植する苗はアースストレートポットで育苗しそのまま定植する。定植後も気化熱で定職株４が冷えると考えられる。
【００２６】
イチゴの生育適温と不織布バッグについて説明すると、イチゴの生育適温は１７〜２０℃であり、不織布バッグを利用した株冷却はイチゴ定植時の９月上・中旬、この温度以下に下がることはなく、生育遅延や生育障害を受けることはない。従って、定植後新たな処理をする必要がない本発明の方法は、イチゴの花芽分化を連続的に起こすことができる安価な方法と考えられる。その後の第２腋果房以降の発生と花芽分化はハウス内の条件が、短日・低温になることから連続して分化すると考えられる。
【００２７】
不織布バッグ２へ緩効性肥料５を施してアースストレートポット苗の定植方法について、次に示す（１）〜（４）の注意が必要である。
（１） 図５に示すように不織布バッグ２への定植は、アースストレートポット１を不織布バッグ２よりやや上げて定植する(図５参照)。
（２） 図６に示すように定植後に定植株４から次根がスムーズに発生し、バッグ２内に進入するよう株４は傾けて植えつける(図６参照)。
（３） 点滴チューブ３は不織布バッグ２の上に直接置くこととするが、乾くようであれば、点滴回数を多くしたり、不織布バッグ２の上に更に不織布シート６を敷き、その上に点滴チューブ３を置き、給水する(図５〜６参照)。
（４） 図５に示すように定植後２週間程度は２０％遮光の寒冷紗７等で被覆し、蒸散と遮光に勤める(図５参照)。こうすることで、花芽分化が更に安定すると考えられる。なお、イチゴの光飽和点が３万ルクス程度であり、９月上・中旬は光量が５万ルクス以上あると考えられるため、遮光による徒長等の生育障害は生じないと考えられる。
【産業上の利用可能性】
【００２８】
小型底面給水用ポットの改良は、培地の種類、培地の施肥量、気化熱の効率的な奪い方に改良の余地があり、本発明は不織布で培地を包囲することによりかつ底面給水に適した吸水性、通気性、作業の容易性にも優れて培地の交換の必要がない底面給水用アースストレートポットをマットを敷いた低面給水給水用トレイに置いて底面給水することにより炭素病を予防し、育苗したアースストレートポット苗を不織布バッグに定植することにより花芽分化促進効果を得ることができた。本発明は、イチゴの栽培に限らず、例えば、シクラメン、デルフィニウムのような低温で花芽が促進される野菜や花の花芽分化促進効果があり、早期の出荷が可能になる栽培法である。
【図面の簡単な説明】
【００２９】
【図１】本発明のアースストレートポットと小型底面給水用トレイによるアースストレートポット苗を不織布バッグに定植する実施方法を示した説明図である。（育苗苗を不織布バッグに定植活着した状態を示す写真）
【図２】本発明のアースストレートポットと小型底面給水用トレイによるアースストレートポット苗を不織布バッグに定植する実施方法を示した説明図である。（育苗苗を不織布バッグに定植した初期の状態を示す写真）
【図３】本発明のアースストレートポットと小型底面給水用トレイによるアースストレートポット苗を不織布バッグに定植する実施方法を示した説明図である。（点滴チューブを不織布バッグの上に配置した状態を示す写真）
【図４】本発明のアースストレートポットと小型底面給水用トレイによるアースストレートポット苗を不織布バッグに定植する実施方法を示した説明図である。（育苗苗を定植する直前の不織布バッグの上面を示す写真）
【図５】本発明のアースストレートポットと小型底面給水用トレイによるアースストレートポット苗を不織布バッグに定植する実施方法を示した説明図である。（アースストレートポット苗を不織布バッグの上にやや上げて定植した状態を横方向から示す横断面図）
【図６】本発明のアースストレートポットと小型底面給水用トレイによるアースストレートポット苗を不織布バッグに定植する実施方法を示した説明図である。（不織布バッグの上にアースストレートポット苗株を傾けて定植した状態を上方向から示す平面図）
【符号の説明】
【００３０】
１      アースストレートポット
２      不織布バッグ
３      点滴チューブ
４      定植株
５      緩効性肥料
６      不織布シート 
７      寒冷紗
【図１】
2009183238.tif 000004
【図２】
2009183238.tif 000005
【図３】
2009183238.tif 000006
【図４】
2009183238.tif 000007
【図５】
2009183238.tif 000008
【図６】
2009183238.tif 000009